(57)【特許請求の範囲】
【請求項１】
撓曲自在な芯材で長円リング体を形成すると共に、前記長円リング体内方に遮光布を張設し、長円の短尺端縁近傍に連結部を設け、長尺縁中間に紐体を連結してなる日除け部材と、装着対象の椅子の背凭れ部分に覆着できる下縁開口の袋状本体の両側部並びに頂部中間に、日除け部材の連結部並びに紐体の連結止着を可能とした連結部を設けてなる背凭れ装着部材とで構成してなることを特徴とする椅子用日除け。
【請求項２】
日除け部材の連結部を隣接して複数設けてなる請求項１記載の椅子用日除け。
【請求項３】
背凭れ装着部材の下縁開口部に開口部を閉窄する止着紐体を付設してなる請求項１記載の椅子用日除け。
【請求項４】
日除け部材の連結部を、長円リング体に隣接する遮光布の一部を除去して透孔とし、透孔の周縁を構成する長円リング体自体で構成し、背凭れ装着部材の連結部を、突出リング部と、前記突出リング部に挿通して止着できる止着バンドとで構成してなる請求項１乃至３記載の何れかの椅子用日除け。
【発明の詳細な説明】
【０００１】
【産業上の利用分野】
本発明は、主として折り畳み椅子であるサマーベッドに使用する椅子用日除けに関するものである。
【０００２】
【従来技術及び発明が解決しようとする課題】
ベッドや寝椅子の枕元付近に日除けを用いることは広く行われている。然しこれらの日除けは、ベッドや寝椅子と一体に形成されているものであり、既存の寝椅子等へ簡易に装着できる構造とはなっていない。
【０００３】
また撓曲自在な芯材で長円リング体や矩形リング体を形成すると共に、リング体内方に遮光布を張設した日除けは、リング体の円形折り畳みが可能で収納時にコンパクトになるため近年色々なところで使用されている。具体的には、小型の物は吸盤を付設して車両用として使用されており、大型の物は、左右に撓曲させてベース部材との組み合わせで海岸での日除けとして使用されている。然し前記のものは、サマーベッドのような折り畳みの寝椅子には、簡単に装着して使用できるようになっていない。
【０００４】
そこで本発明は、サマーベッドのような椅子タイプの物品に簡単に装着して使用できる日除けを提案したものである。
【０００５】
【課題を解決する手段】
本発明に係る椅子用日除けは、撓曲自在な芯材で長円リング体を形成すると共に、リング体内方に遮光布を張設し、長円の短尺端縁近傍に連結部を設け、長尺縁中間に紐体を連結してなる日除け部材と、装着対象の椅子の背凭れ部分に覆着できる下縁開口の袋状本体の両端部並びに頂部中間に、日除け部材の連結部並びに紐体の連結止着を可能とした連結部を設けてなる背凭れ装着部材とで構成してなることを特徴とするものである。
【０００６】
而して背凭れ装着部材を、椅子の背凭れに被せ、日除け部材を逆Ｕ字状に撓曲させて、連結部同士並びに紐体と連結部とを連結すると、椅子の背凭れの外方を覆う日除けが形成される。
【０００７】
【実施の形態】
次に本発明の実施の形態について説明する。実施形態に示した椅子用日除けは、日除け部材１と背凭れ装着部材２とで構成される。
【０００８】
日除け部材１は、グラスファイバーやピアノ線等の撓曲自在な芯材で、長尺縁の両端を半円形としたトラック形状の長円リング体１１を形成すると共に、長円リング体１１の内方に遮光布１２を張設してなる。特に、長円の短尺端縁（半円部分）の近傍に連結部を設け、長尺縁中間に紐体１４を連結してなる。
【０００９】
連結部は、長円リング体１１に隣接する遮光布１２の一部を除去して複数の透孔１３ａ，１３ｂとし、透孔１３ａ，１３ｂの周縁を構成する長円リング体１１自体で構成したものである。更に前記透孔１３ａは、半円部分の中心に設け、透孔１３ｂは後述する紐体１４を連結した長尺縁側に隣接した側に隣接して設けたものである。また紐体１４は、長円リング体１１に結束した２本で、コードロック１５を付設してなる。
【００１０】
背凭れ装着部材２は、下方を開口して、使用対象であるサマーベッドＡの形状に対応させた袋状の本体２１に、連結部２２と止着紐体２３を付設したものである。
【００１１】
連結部２２は、本体の両側部並びに頂部中間の各背面に設けたもので、突出リング部２２１と、前記突出リング部２２１に挿通して止着（ベルクロファスナーのような絡着テープを使用して）できる止着バンド２２２とで構成してなる。また止着紐体２３は、本体２１の開口部２１１を閉窄可能に設け、止着紐体２３の任意位置に固定できるコードロック２３１を付設してなる。
【００１２】
而して前記の日除けの使用は、使用対象であるサマーベッドＡの背凭れ部分に、背凭れ装着部材２を被せ、止着紐体２３を絞り込み、適宜位置にコードロック２３１を移動させて固定する。日除け部材１は、紐体１４がサマーベッドＡの頭の方に位置する様にして逆Ｕ字状に撓曲させると共に、透孔１３ａ又は１３ｂの何れかに突出リング部２２１を挿通して背面側に折り返し、更に折り返した突出リング部２２１に止着バンド２２２を挿通して折り返して止着する。紐体１４は、紐体１４間に頂部の連結部２２の止着バンド２２２を挿通してバンドを止める。
【００１３】
従って逆Ｕ字状に形成された日除け部材１がサマーベッドＡの頭部に装着されることで、日除け部材１で覆われた箇所は日陰となり、日除けを備えたサマーベッドが容易に提供できるものである。更に透孔１３ａ，１３ｂの選択並びに紐体１４のコードロック１５の位置調整で、日除け部材１の取り付け角度を調整できるので、図６，７に例示するとおり、リクライニング角度に対応して必要とする日除けを得ることができる。
【００１４】
また日除け部材１の収納は、長円リング体１１が撓曲可能な芯材を採用しているので、捻って折り畳むことが可能である。従って適宜な大きさに折り畳んで、そのままサマーベッドＡに装着した背凭れ装着部材２の内方に差し入れることができ、サマーベッドＡの通常使用に収納が可能であり、サマーベッドＡから部材を外した場合でも、日除け部材１を背凭れ装着部材２内に収納することができる。
【００１５】
勿論本発明はサマーベッドへの使用に限定されるものではなく、リクライニング椅子や、屋外で使用される椅子に対しても適用できるものである。
【００１６】
【発明の効果】
以上のように本発明は、撓曲自在な芯材で長円リング体を形成すると共に、前記長円リング体内方に遮光布を張設し、長円の短尺端縁近傍に連結部を設け、長尺縁中間に紐体を連結してなる日除け部材と、装着対象の椅子の背凭れ部分に覆着できる下縁開口の袋状本体の両端部並びに頂部中間に、日除け部材の連結部並びに紐体の連結止着を可能とした連結部を設けてなる背凭れ装着部材とで構成してなる椅子用日除けで、椅子に簡単に日除けを形成することができたものである。
【図面の簡単な説明】
【図１】本発明の実施形態の日除け部材の全体正面図。
【図２】同背凭れ装着部材の全体図で、（イ）は正面図（ロ）は背面図。
【図３】同使用状態の説明図（装着前斜視図）。
【図４】同連結構造の説明図。
【図５】同使用状態の説明図（装着後の斜視図）。
【図６】同使用状態の説明図（ベッド使用の側面図）。
【図７】同使用状態の説明図（リクライニング椅子使用の側面図）。
【符号の説明】
１     日除け部材
１１   長円リング体
１２   遮光布
１３ａ，１３ｂ   透孔（連結部）
１４   紐体
１５   コードロック
２     背凭れ装着部材
２１   本体
２１１  開口部
２２   連結部
２２１ 突出リング部
２２２ 止着バンド
２３   止着紐体
２３１ コードロック
【図１】
0003768103.tif 000002
【図２】
0003768103.tif 000003
【図３】
0003768103.tif 000004
【図４】
0003768103.tif 000005
【図５】
0003768103.tif 000006
【図６】
0003768103.tif 000007
【図７】
0003768103.tif 000008